(57)【特許請求の範囲】
【請求項１】
軸（２３）及び内壁（３１）を有するベンチュリ（３０）と、
一次燃料回路（５０）及び二次燃料回路（５２）を有する燃料噴射装置（４３）であって、該一次燃料回路（５０）が、エンジンの全回転数域において一次燃料流（５１）を供給し、該二次燃料回路（５２）が、エンジンが所与の回転数域よりも高い場合にのみ二次燃料流（５３）を供給し、前記燃料噴射装置（４３）は、前記一次燃料流（５１）を、前記軸（２３）と角度βを形成する燃料コーンとして前記ベンチュリ（３０）に噴射すると共に、前記二次燃料流（５３）を、前記軸（２３）と角度αを形成する燃料コーンとして前記ベンチュリ（３０）に噴射するように構成されており、前記二次燃料流の燃料コーンの角度αが前記一次燃料流の燃料コーンの角度βよりも大きい、前記燃料噴射装置（４３）と、
前記ベンチュリ（３０）の内側に内部空気束を供給するように前記ベンチュリ（３０）の上流側に取り付けられた一次スワラ（３２）と、
前記ベンチュリ（３０）の外側に外部空気束を供給するように前記一次スワラ（３２）の下流側に取り付けられた二次スワラ（３３）であって、前記ベンチュリ（３０）が、前記内部空気束及び前記外部空気束を分離する境界を形成する、前記二次スワラ（３３）とを備えており、
前記ベンチュリ（３０）は、前記一次燃料流（５１）が該ベンチュリ（３０）の前記内壁（３１）に衝突しないような長さ及び形状を有していることを特徴とするガスタービンエンジンの複流燃料噴射システム。
【請求項２】
前記一次スワラ（３２）が第一の速度で前記内部空気束を供給し、前記二次スワラ（３３）が第二の速度で前記外部空気束を供給し、該第一の速度の該第二の速度に対する比が１．３未満であることを特徴とする請求項１に記載のシステム。
【請求項３】
前記第一の速度の前記第二の速度に対する比が１．１〜１．２であることを特徴とする請求項２に記載のシステム。
【請求項４】
前記第一の速度の前記第二の速度に対する比が１．１３であることを特徴とする請求項３に記載のシステム。
【請求項５】
前記ベンチュリ（３０）の内壁（３１）が、ネック部を形成すると共に収束部分及び放散部分を画定する収束放散形状を有しており、該ネック部が直径Ｄを有しており、前記放散部分が長さＬを有しており、該長さＬの前記直径Ｄに対する比が、０．３〜０．４であることを特徴とする請求項１に記載のシステム。
【請求項６】
前記長さＬの前記直径Ｄに対する比が１／３であることを特徴とする請求項５に記載のシステム。
【請求項７】
前記一次スワラ（３２）及び前記二次スワラ（３３）が両方共、径方向型のスワラであることを特徴とする請求項１に記載のシステム。
【請求項８】
前記一次スワラ（３２）が５５°〜６５°の値に設定されることを特徴とする請求項７に記載のシステム。
【請求項９】
前記二次スワラ（３３）が６０°から７０°の値に設定されることを特徴とする請求項７に記載のシステム。
【発明の詳細な説明】
【０００１】
【発明の属する技術分野】
本発明は、ガスタービンエンジンの燃焼室内の燃料混合気の噴射システムに関する。
【０００２】
より詳細には本発明は、エンジンの全回転数域において一次燃料回路から供給される一次燃料流と、エンジンのあらかじめ決められた回転数域より高いところで二次燃料回路から供給される二次燃料流とを噴射するための複流燃料噴射装置と、下流側に口が拡大され、上流側に燃料の噴射装置軸に同軸に配設されたベンチュリを含む空力ボウルとを含む空力噴射システムあって、このベンチュリによって、一次スワラから出される内部空気束と、二次スワラから出される外部空気束とが分離され、一次燃料流と二次燃料流とが、燃料コーンの形状に内部空気束内に噴射されるシステムに関する。
【０００３】
【従来の技術】
この複流空力噴射装置はとくにターボジェットエンジンに装備され、あるエンジン回転数までは一次燃料流により動作し、それ以上では、第二燃料流が第一燃料流を補完するようになる。
【０００４】
この種の現在の噴射装置では、二つの燃料流の出力コーンが、ベンチュリの内壁を打撃するようになる。
【０００５】
このように燃料がベンチュリに衝突することにより、以下の二つの現象が生じる。
【０００６】
−  第一の現象は燃料の二次噴霧化に関する。なぜなら、ベンチュリを打撃する燃料の一部が、ベンチュリのところで流れ、この出力帯の空力的な規定によって定義される状態で、このベンチュリの出力で再度噴射され、再度噴霧化されるからである。これらの結果は通常、ベンチュリの出力部における燃料コーンの角度の増加によって表される。
【０００７】
−  第二の現象は、空力ボウルの出力部における燃料の粒度に関する。この粒度は、燃料噴射装置の固有の微粒子化能力と比較して悪化することがある。
【０００８】
一次燃料回路のみが動作中の時、アイドリング速度における燃料コーンの角度の増加により、噴霧化されていない燃料が燃焼室の一次帯の壁に飛散する。室の壁の冷却装置は、当該帯内の燃焼反応を停止しようとし、そのため、多量の一酸化炭素（ＣＯ）および非燃焼炭化水素（ＣＨｘ）が形成されてしまう。
【０００９】
【発明が解決しようとする課題】
本発明の目的は、低回転数において燃焼されない一酸化炭素および炭化水素の発生量を最もよく減少させるよう、上記に記載の空力噴射システムを最適化することである。
【００１０】
【課題を解決するための手段】
本発明は、一次燃料回路から供給される燃料コーンがベンチュリに衝突しないようにベンチュリの長さおよび形状が調節されることによって達成される。
【００１１】
この構成により、低回転数において噴射装置の噴霧化品質が維持されるため、燃焼の安定性が向上する。さらに、二次燃料回路から供給される燃料コーンがベンチュリを打撃し、ガス充満回転速度において比較的大きな燃料コーンが得られることから、高回転数における噴射システムの固有性能が変化せず、それにより、燃料噴射装置間の、混合および均質化についての要求を守ることができる。
【００１２】
さらに以下の有利な特徴が採用される。
【００１３】
−  一次スワラと二次スワラの空気流速度の比が１．３未満である。
【００１４】
−  一次スワラが５５°〜６５°の値に設定される。
【００１５】
−  二次スワラが６０°〜７０°の値に設定される。
【００１６】
−  一次スワラおよび二次スワラによって供給される空気の流量比が１．１〜１．２である。
【００１７】
−  ベンチュリの放散部分の軸方向長さと、ベンチュリのネック部の直径との比が、０．３〜０．４である。
【００１８】
本発明の他の長所および特徴は、例として示し添付の図面を参照して行う以下の説明を読むことによって明らかになろう。
【００１９】
【発明の実施の形態】
図１は、たとえばターボジェットエンジン内で使用されるガスタービンエンジンの燃焼エンクロージャ２の燃焼室内の燃料混合気の噴射システム１を示す。燃焼エンクロージャ２はたとえば環状であり、図示しない二つの環状ジャケットによって画定される。二つの環状ジャケットは、ターボジェットエンジンの軸を基準として半径方向に間隔をあけ、上流側で環状の室の底部３によって接続される。室の底部３は、ターボジェットエンジンの軸の周囲に円形に等間隔に配置された複数の開口部４を含む。各開口部４内には、本発明による噴射装置１が取り付けられる。燃焼ガスは燃焼エンクロージャ２内を下流側に流れ、次に、燃焼室底部３の上流側に配設された高圧コンプレッサを駆動する高圧タービンに供給される。このコンプレッサは、噴射装置１および、燃焼エンクロージャ２の内側および外側にそれぞれ半径方向に配設された二つの環状空間に空気を供給する。
【００２０】
噴射装置１により燃焼エンクロージャ２に投入される空気は、燃料の噴霧化および燃焼室の一次帯内の燃料の燃焼に積極に与るが、ジャケットの外側を循環する空気はジャケットの冷却に与り、希釈穴から燃焼エンクロージャ２内に入り、その結果、高圧タービンに送られた燃焼ガスを冷却する。
【００２１】
環状デフレクタ１０は、内部スリーブ１１により開口部４内に取り付けられる。このデフレクタ１０は、燃焼エンクロージャ２内に室の底部３に平行に配設され、室の底部３を横断するオリフィス１２を通る空気により衝撃冷却される。スリーブ１１の内側には、開口部４の軸２３と同軸に配設された円筒形壁２２の延長部内で下流側に口が拡大された壁２１を含む空力ボウル２０が取り付けられる。壁２１は、燃焼室への空気投入用の複数の穴２４を含む。
【００２２】
円筒形壁２２は、内側輪郭３１が収束放散形の軸２３のベンチュリ３０を取り囲む。ベンチュリ３０は、一次スワラ３２および二次スワラ３３から出た空気流を画定する。
【００２３】
径方向型一次スワラ３２は、ベンチュリ３０の上流側に配設され、ベンチュリ３０の内部に内部空気束を供給する。
【００２４】
同じく径方向型の二次スワラ３３は、ボウル２０の円筒形壁２２の上流側に配設され、ベンチュリ３０と円筒形壁２２との間に設けられた管路内に外部空気束を供給する。
【００２５】
ベンチュリ３０はその上流端に、一次スワラ３２と二次スワラ３３とを分離する径方向型フランジ３４を含む。
【００２６】
一次スワラ３２は、開口部４の軸２３側に開口した環状溝４１を有する固定部品４０に上流側で固設される。この環状溝４１内には、二重燃料回路型燃料噴射装置の燃料噴霧棒４３の端部の固定ソケット４２が取り付けられる。ソケット４２は、環状溝４１内を数度、径方向に移動することができるので、燃料噴射装置および燃焼室底部３に固定された部品が受ける熱的応力によるあそびを補正することができる。
【００２７】
燃料噴射装置は、エンジンの全回転数域において、軸２３に対し角度βをなす燃料コーンの形態の一次燃料流５１を供給する一次燃料回路５０と、エンジンの所与の回転数域より高いところで、あるいは所与の燃料の流量より多いところで、軸２３に対し角度αをなす燃料コーンの形態の二次燃料流５３を供給する二次燃料回路５２とを含む。
【００２８】
本発明によれば、ベンチュリ３０の形状および寸法、ならびに燃料の噴霧化棒の端部の位置、および燃料コーン５３、５１の角度α、βは、二次燃料流のコーン５３がベンチュリ３０の内壁３１を常に打撃するが、一次燃料流のコーン５１はベンチュリ３０の内壁３１を決して打撃しないように計算される。
【００２９】
一次燃料流のコーン５１の開口角度βは比較的閉じているものの、点火システムの位置に応じて満足のゆくエンジン点火条件を得るためには、最小開口角度よりは大きくなければならない。
【００３０】
提供される配置により、ボウル３０の出力部と燃焼室の一次帯内では、燃料の空間分布が、燃料噴射装置の二つの動作モード間できわめて異なる。図２では、一次燃料回路５０が動作中の時の、ボウル２０の軸２３からの距離Ｘに応じた空間分布を示す曲線Ｃ１を実線で示し、一次燃料回路５０および二次燃料回路５２の双方が燃料を供給する時の同じ空間分布を示す曲線Ｃ２を点線で示した。一次燃料流および二次燃料流の双方が動作すると、燃料の密度が最大である帯６０はボウル２０側に遠ざかることがわかる。
【００３１】
ボウル２０およびベンチュリ３０の形態の最適化は、二次元および／または三次元空力計算を行い、これに、燃料の粉砕、ベンチュリ３０上の二次噴霧化、燃料の気化現象などの二相現象を考慮したものを組み合わせることにより行われる。
【００３２】
使用する燃料噴射装置の一次燃料回路５０は、純粋に機械的な定義によるものである。すなわち、この一次回路５０から供給される燃料は、燃料の噴射圧力によってのみ粉砕化される。
【００３３】
この一次回路５０から供給される燃料はベンチュリ３０を打撃せず、二次燃料回路の燃料コーン５３に干渉しない。これにより、先行技術と比べて酸化窒素の発生量を減じることができ、また、燃焼室の安定性の基にある空気の再循環帯を移動することができる。ボウル２０に供給される空気はベンチュリ３０に強く依存する出力動力性を有する。ボウルの出力部における再循環帯の位置を決定するのは、内部空気流束および外部空気流束間の速度比、各スワラの設定と、二つの空気流束が混合する距離である。燃料、とくにこの空気帯にとらわれる細かな小滴は、ボウルの周囲の空気の流速に依存することなく、安定した炎を得るのに消費される。燃料の滴の軌跡描図は、二相二次元計算によって行われる。
【００３４】
以下の特徴を採用することが有利である。
【００３５】
−  一次スワラ３２と二次スワラ３３の空気流速度の比が１．３未満である。
【００３６】
−  一次スワラ３２が５５〜６５°の値、たとえば６０°に設定される。
【００３７】
−  二次スワラ３３が６０〜７０°の値、たとえば７０°に設定される。
【００３８】
−  一次スワラ３２および二次スワラ３３によって供給される空気の流量比が１．１〜１．２であり、たとえば１．１３である。
【００３９】
−  ベンチュリ３０の放散部分の軸方向長さＬと、ベンチュリ３０のネック部の直径Ｄとの比が、０．３〜０．４であり、たとえば１／３である。
【図面の簡単な説明】
【図１】燃焼エンクロージャの燃焼室の底部内に取り付けられた本発明による空気および燃料の噴射システムの断面図である。
【図２】第一燃料回路だけが動作中であるか、第二燃料回路とともに動作するかによって異なる、ボウルの軸までの距離に対する燃料の空間分布を示す図である。
【符号の説明】
１  噴射システム
２  燃焼エンクロージャ
３  室の底部
４  開口部
１０  環状デフレクタ
１１  内部スリーブ
１２  オリフィス
２０  空力ボウル
２１  壁
２２  円筒形壁
２３  軸
２４  穴
３０  ベンチュリ
３１  内側輪郭
３２  一次スワラ
３３  二次スワラ
４０  固定部品
４１  環状溝
４２  ソケット
４３  複流燃料噴射装置
５０  一次燃料回路
５１  一次燃料流
５２  二次燃料回路
５３  二次燃料流
【図１】
0003735189.tif 000002
【図２】
0003735189.tif 000003